(57)【要約】【課題】セキュリティを確保しながら複数の通信端末で同一の画像データを表示する。【解決手段】データサーバ１０は、ＤＢ２２内のドキュメントデータの中の選択された１つを、第１画像データに変換して第１携帯電話１１に送信する。第１携帯電話１１は、受信した第１画像データをＬＣＤ３４に表示する。第２携帯電話１２は、閲覧要求情報を第１携帯電話１１に送信し、第１携帯電話１１は、一時的閲覧用情報を第２携帯電話１２に送信する。第２携帯電話１２は、一時的閲覧要求情報をデータサーバ１０に送信し、データサーバ１０は、判定実行情報を第１携帯電話１１に送信する。第１携帯電話１１は、閲覧を認証すると判定した場合、閲覧認証情報をデータサーバ１０に送信する。データサーバ１０は、第２携帯電話１２の一時的な認証を行う。第１携帯電話１１と通信中である場合、第２画像データが第２携帯電話１２に送信され、ＬＣＤ４４に表示される。【選択図】図５
2013210871.tif 000002
【特許請求の範囲】
【請求項１】
画像データの表示機能を有する複数の通信端末と、
ドキュメントデータの記憶部と、前記ドキュメントデータを画像データに変換するデータ変換部と、前記複数の通信端末との間で交信する通信部と、前記複数の通信端末を個別に認証する認証部とを有し、前記認証部にて認証済みの認証済通信端末に前記画像データを送信するデータサーバと、を備えるドキュメント閲覧システムにおいて、
前記認証済通信端末は、
前記認証部にて認証されていない非認証通信端末から、そのＩＤ情報及び前記画像データの閲覧を要求する閲覧要求情報が受信されたときに、前記非認証通信端末で一時的に閲覧させるための一時的閲覧用情報を生成する第１情報生成部と、
前記非認証通信端末での一時的な閲覧を認証するか否かを判定する判定部と、
前記一時的閲覧用情報を前記非認証通信端末に送信し、前記判定部での判定結果情報を前記データサーバに送信する第１制御部と、を有し、
前記非認証通信端末は、
前記閲覧要求情報を生成するとともに、前記認証済通信端末から前記一時的閲覧用情報が受信されたときに、一時的な閲覧を要求する一時的閲覧要求情報を生成する第２情報生成部と、
前記閲覧要求情報を前記認証済通信端末に送信し、前記一時的閲覧要求情報を前記データサーバに送信する第２制御部と、を有し、
前記データサーバは、
前記非認証通信端末から前記一時的閲覧要求情報が受信されたときに、前記判定部での判定を実行させるための判定実行情報を生成する第３情報生成部と、
前記判定実行情報を前記認証済通信端末に送信する第３制御部と、
前記認証済通信端末から前記判定部で閲覧を認証すると判定された認証情報が受信されたときに、前記非認証通信端末を一時的認証通信端末として認証する一時的認証部と、
前記認証済通信端末との通信状態を検出する検出部と、
前記認証済通信端末と通信を行っていることが検出されたときに、前記認証済通信端末に送信した画像データを前記一時的認証通信端末にも送信する第４制御部と、
前記認証済通信端末との通信が終了したことが検出されたときに、前記非認証通信端末の一時的な認証を終了する認証終了部と、を有することを特徴とするドキュメント閲覧システム。
【請求項２】
前記データサーバは、前記認証済通信端末から前記判定部で閲覧を認証しないと判定された不認証情報が受信されたときに、閲覧不認証を示す閲覧不認証画像データを前記非認証通信端末に送信することを特徴とする請求項１記載のドキュメント閲覧システム。
【請求項３】
前記データサーバは、前記非認証通信端末から閲覧を要求されたドキュメントデータのセッションＩＤを前記非認証通信端末に送信し、
前記非認証通信端末は、前記データサーバからのセッションＩＤを含む閲覧要求情報を送信し、
前記一時的閲覧用情報と、前記一時的閲覧要求情報と、前記判定実行情報とには、前記閲覧要求情報内のセッションＩＤが含まれ、
前記判定部は、前記判定実行情報に含まれるセッションＩＤが、前記認証済通信端末で閲覧中のドキュメントデータのセッションＩＤと同じである場合には閲覧を認証し、異なる場合には閲覧を認証しないことを特徴とする請求項１または２記載のドキュメント閲覧システム。
【請求項４】
画像データの表示機能を有する複数の通信端末と、
ドキュメントデータの記憶部と、前記ドキュメントデータを画像データに変換するデータ変換部と、前記複数の通信端末との間で交信する通信部と、前記複数の通信端末を個別に認証する認証部とを有し、前記認証部にて認証済みの認証済通信端末に前記画像データを送信するデータサーバと、を備えるドキュメント閲覧システムにおいて、
前記認証済通信端末は、
前記認証部にて認証されていない非認証通信端末から、そのＩＤ情報及び前記画像データの閲覧を要求する閲覧要求情報が受信されたときに、前記非認証通信端末で一時的に閲覧させるための一時的閲覧用情報を前記データサーバで生成させるための生成要求情報を生成する第１情報生成部と、
前記生成要求情報を前記データサーバに送信し、前記データサーバから前記一時的閲覧用情報が受信されたときに、前記一時的閲覧用情報を前記非認証通信端末に送信する第１制御部と、を有し、
前記非認証通信端末は、
前記閲覧要求情報を生成する第２情報生成部と、
前記閲覧要求情報を前記認証済通信端末に送信し、前記認証済通信端末から前記一時的閲覧用情報が受信されたときに、前記一時的閲覧用情報を前記データサーバに送信する第２制御部を有し、
前記データサーバは、
前記認証済通信端末から前記生成要求情報が受信されたときに、前記一時的閲覧用情報を生成する第３情報生成部と、
前記一時的閲覧用情報を前記認証済通信端末に送信する第３制御部と、
前記非認証通信端末から前記一時的閲覧用情報が受信されたときに、前記非認証通信端末を一時的認証通信端末として認証する一時的認証部と、
前記認証済通信端末との通信状態を検出する検出部と、
前記認証済通信端末と通信を行っていることが検出されたときに、前記認証済通信端末に送信した画像データを前記一時的認証通信端末にも送信する第４制御部と、
前記認証済通信端末との通信が終了したことが検出されたときに、前記非認証通信端末の一時的な認証を終了する認証終了部と、を有することを特徴とするドキュメント閲覧システム。
【請求項５】
画像データの表示機能を有する複数の通信端末と、
ドキュメントデータの記憶部と、前記ドキュメントデータを画像データに変換するデータ変換部と、前記複数の通信端末との間で交信する通信部と、前記複数の通信端末を個別に認証する認証部とを有し、前記認証部にて認証済みの認証済通信端末に前記画像データを送信するデータサーバと、を備えるドキュメント閲覧システムにおいて、
前記認証済通信端末は、
前記認証部にて認証されていない非認証通信端末から、そのＩＤ情報及び前記画像データの閲覧を要求する閲覧要求情報が受信されたときに、前記非認証通信端末で一時的に閲覧させるための一時的閲覧用情報を生成する第１情報生成部と、
前記一時的閲覧用情報を前記非認証通信端末に送信する第１制御部と、
前記データサーバから前記非認証通信端末の一時的な閲覧を認証する閲覧認証情報が受信され、かつ前記非認証通信端末から閲覧認証を要求する閲覧認証要求情報が受信されたときに、前記閲覧認証情報を前記非認証通信端末に送信する第２制御部と、を有し、
前記非認証通信端末は、
前記閲覧要求情報と前記閲覧認証要求情報とを生成するとともに、前記認証済通信端末から前記一時的閲覧用情報が受信されたときに、一時的な閲覧を要求する一時的閲覧要求情報を生成する第２情報生成部と、
前記閲覧要求情報と前記閲覧認証要求情報とを前記認証済通信端末に送信し、前記認証済通信端末から受信された前記閲覧認証情報と前記一時的閲覧要求情報とを前記データサーバに送信する第２制御部と、を有し、
前記データサーバは、
前記非認証通信端末から前記認証済通信端末に前記閲覧認証要求情報を送信させるための認証要求送信指令情報と、前記閲覧認証情報とを生成する第３情報生成部と、
前記認証要求送信指令情報を前記非認証通信端末に送信し、前記閲覧認証情報を前記認証済通信端末に送信する第３制御部と、
前記非認証通信端末から受信された閲覧認証情報が、前記認証済通信端末に送信した前記閲覧認証情報と一致している場合に、前記非認証通信端末を一時的認証通信端末として認証する一時的認証部と、
前記認証済通信端末との通信状態を検出する検出部と、
前記認証済通信端末と通信を行っていることが検出されたときに、前記認証済通信端末に送信した画像データを前記一時的認証通信端末にも送信する第４制御部と、
前記認証済通信端末との通信が終了したことが検出されたときに、前記非認証通信端末の一時的な認証を終了する認証終了部と、を有することを特徴とするドキュメント閲覧システム。
【請求項６】
画像データの表示機能を有する複数の通信端末と、
ドキュメントデータの記憶部と、前記ドキュメントデータを画像データに変換するデータ変換部と、前記複数の通信端末との間で交信する通信部と、前記複数の通信端末を個別に認証する認証部とを有し、前記認証部にて認証済みの認証済通信端末に前記画像データを送信するデータサーバと、を備えるドキュメント閲覧システムの制御方法において、
前記認証部にて認証されていない非認証通信端末で前記画像データの閲覧を要求する閲覧要求情報を生成し、前記認証済通信端末に送信する第１制御ステップと、
前記非認証通信端末からの前記閲覧要求情報に基づいて、前記非認証通信端末で一時的に閲覧させるための一時的閲覧用情報前を前記認証済通信端末で生成し、前記非認証通信端末に送信する第２制御ステップと、
前記認証済通信端末からの前記一時的閲覧用情報に基づいて、一時的な閲覧を要求する一時的閲覧要求情報を前記非認証通信端末で生成し、前記データサーバに送信する第３制御ステップと、
前記非認証通信端末からの前記一時的閲覧要求情報に基づいて、前記非認証通信端末での閲覧を認証するか否かの判定を前記認証済通信端末で実行させるための判定実行情報を前記データサーバで生成し、前記認証済通信端末に送信する第４制御ステップと、
前記データサーバからの前記判定実行情報に基づいて、前記認証済通信端末で前記判定を行い、判定結果情報を前記データサーバに送信する第５制御ステップと、
前記認証済通信端末から前記判定部で閲覧を認証すると判定された認証情報を前記データサーバで受信した場合に、前記非認証通信端末を一時的認証通信端末として認証する第５制御ステップと、
前記認証済通信端末との通信状態を前記データサーバで検出する第６制御ステップと、
前記認証済通信端末と通信を行っていることが検出されたときに、前記認証済通信端末に送信した画像データを前記一時的認証通信端末にも送信する第７制御ステップと、
前記認証済通信端末との通信が終了したことが検出されたときに、前記非認証通信端末の一時的な認証を終了する第８制御ステップと、
を有することを特徴とするドキュメント閲覧システムの制御方法。
【請求項７】
画像データの表示機能を有する複数の通信端末と、
ドキュメントデータの記憶部と、前記ドキュメントデータを画像データに変換するデータ変換部と、前記複数の通信端末との間で交信する通信部と、前記複数の通信端末を個別に認証する認証部とを有し、前記認証部にて認証済みの認証済通信端末に前記画像データを送信するデータサーバと、を備えるドキュメント閲覧システムの制御方法において、
前記認証部にて認証されていない非認証通信端末で前記画像データの閲覧を要求する閲覧要求情報を生成し、前記認証済通信端末に送信する第１制御ステップと、
前記非認証通信端末からの閲覧要求情報に基づいて、前記非認証通信端末で一時的に閲覧させるための一時的閲覧用情報を前記データサーバで生成させるための生成要求情報を前記認証済通信端末で生成し、前記データサーバに送信する第２制御ステップと、
前記認証済通信端末からの前記生成要求情報に基づいて、前記一時的閲覧用情報を前記データサーバで生成し、前記認証済通信端末に送信する第３制御ステップと、
前記一時的閲覧用情報を、前記認証済通信端末から前記非認証通信端末に送信する第４制御ステップと、
前記一時的閲覧用情報を、前記非認証通信端末から前記データサーバに送信する第５制御ステップと、
前記データサーバで、前記認証済通信端末から前記一時的閲覧用情報を受信されたときに、前記非認証通信端末を一時的認証通信端末として認証する第６制御ステップと、
前記認証済通信端末との通信状態を前記データサーバで検出する第７制御ステップと、
前記認証済通信端末と通信を行っていることが検出されたときに、前記認証済通信端末に送信した画像データを前記一時的認証通信端末にも送信する第８制御ステップと、
前記認証済通信端末との通信が終了したことが検出されたときに、前記非認証通信端末の一時的な認証を終了する第９制御ステップと、
を有することを特徴とするドキュメント閲覧システムの制御方法。
【請求項８】
画像データの表示機能を有する複数の通信端末と、
ドキュメントデータの記憶部と、前記ドキュメントデータを画像データに変換するデータ変換部と、前記複数の通信端末との間で交信する通信部と、前記複数の通信端末を個別に認証する認証部とを有し、前記認証部にて認証済みの認証済通信端末に前記画像データを送信するデータサーバと、を備えるドキュメント閲覧システムの制御方法において、
前記認証部にて認証されていない非認証通信端末で前記画像データの閲覧を要求する閲覧要求情報を生成し、前記認証済通信端末に送信する第１制御ステップと、
前記非認証通信端末からの前記閲覧要求情報に基づいて、前記非認証通信端末で一時的に閲覧させるための一時的閲覧用情報を前記認証済通信端末で生成し、前記非認証通信端末に送信する第２制御ステップと、
前記認証済通信端末からの前記一時的閲覧用情報に基づいて、一時的な閲覧を要求する一時的閲覧要求情報を前記非認証通信端末で生成し、前記データサーバに送信する第３制御ステップと、
前記非認証通信端末からの前記一時的閲覧要求情報に基づいて、前記非認証通信端末から閲覧認証を要求する閲覧認証要求情報を送信させるような認証要求送信指令情報を前記データサーバで生成し、前記非認証通信端末に送信する第４制御ステップと、
前記非認証通信端末からの前記一時的閲覧要求情報に基づいて、一時的な閲覧を認証する閲覧認証情報を前記データサーバで生成し、前記認証済通信端末に送信する第５制御ステップと、
前記データサーバからの前記認証要求送信指令情報に基づいて、前記閲覧認証要求情報を前記非認証通信端末で生成し、前記認証済通信端末に送信する第６制御ステップと、
前記非認証通信端末からの前記閲覧認証要求情報に基づいて、前記データサーバからの前記閲覧認証情報を前記認証済通信端末から前記非認証通信端末に送信する第７制御ステップと、
前記認証済通信端末からの前記閲覧認証情報を、前記非認証通信端末から前記データサーバに送信する第８制御ステップと、
前記非認証通信端末からの閲覧認証情報が、前記認証済通信端末に送信した前記閲覧認証情報と一致している場合に、前記非認証通信端末を一時的認証通信端末として認証する第９制御ステップと、
前記認証済通信端末との通信状態を前記データサーバで検出する第１０制御ステップと、
前記認証済通信端末と通信を行っていることが検出されたときに、前記認証済通信端末に送信した画像データを前記一時的認証通信端末にも送信する第１１制御ステップと、
前記認証済通信端末との通信が終了したことが検出されたときに、前記非認証通信端末の一時的な認証を終了する第１２制御ステップと、
を有することを特徴とするドキュメント閲覧システムの制御方法。
【請求項９】
ドキュメントデータの記憶部と、前記ドキュメントデータを画像データに変換するデータ変換部と、画像データの表示機能を有する複数の通信端末との間で交信する通信部と、前記複数の通信端末を個別に認証する認証部とを有し、前記認証部にて認証済みの認証済通信端末に前記画像データを送信するデータサーバであって、
前記認証部にて認証されていない非認証通信端末から、そのＩＤ情報及び前記画像データの一時的な送信要求が受信され、かつ前記認証済通信端末から、前記ＩＤ情報とともに前記画像データの送信要求が受信されたときに、前記非認証通信端末を一時的認証通信端末として認証する一時的認証部と、
前記認証済通信端末との通信状態を検出する検出部と、
前記認証済通信端末と通信を行っていることが検出されたときに、前記認証済通信端末に送信した画像データを前記一時的認証通信端末にも送信する制御部と、
前記認証済通信端末との通信が終了したことが検出されたときに、前記非認証通信端末の一時的な認証を終了する認証終了部と、
を備えることを特徴とするデータサーバ。
【請求項１０】
ドキュメントデータの記憶部と、前記ドキュメントデータを画像データに変換するデータ変換部と、画像データの表示機能を有する複数の通信端末との間で交信する通信部と、前記複数の通信端末を個別に認証する認証部とを有し、前記認証部にて認証済みの認証済通信端末に前記画像データを送信するデータサーバであって、
前記認証部にて認証されていない非認証通信端末前で一時的に閲覧させるための一時的閲覧用情報を生成する情報生成部と、
前記一時的閲覧用情報を前記認証済通信端末に送信する第１制御部と、
前記非認証通信端末から、そのＩＤ情報とともに前記一時的閲覧用情報が受信されたときに、前記非認証通信端末を一時的認証通信端末として認証する一時的認証部と、
前記認証済通信端末との通信状態を検出する検出部と、
前記認証済通信端末と通信を行っていることが検出されたときに、前記認証済通信端末に送信した画像データを前記一時的認証通信端末にも送信する第２制御部と、
前記認証済通信端末との通信が終了したことが検出されたときに、前記非認証通信端末の一時的な認証を終了する認証終了部と、
を備えることを特徴とするデータサーバ。
【請求項１１】
ドキュメントデータの記憶部と、前記ドキュメントデータを画像データに変換するデータ変換部と、画像データの表示機能を有する複数の通信端末との間で交信する通信部と、前記複数の通信端末を個別に認証する認証部とを有し、前記認証部にて認証済みの認証済通信端末に前記画像データを送信するデータサーバであって、
前記認証部にて認証されていない非認証通信端末から、そのＩＤ情報及び前記画像データの一時的な送信要求が受信され、かつ前記認証済通信端末から、前記ＩＤ情報とともに前記画像データの送信要求が受信されたときに、閲覧を一時的に認証するための閲覧認証情報を生成する情報生成部と、
前記閲覧認証情報を前記認証済通信端末に送信する第１制御部と、
前記非認証通信端末から閲覧に係る情報が受信され、この情報が前記認証済通信端末に送信した前記閲覧認証情報と一致している場合に、前記非認証通信端末を一時的認証通信端末として認証する一時的認証部と、
前記認証済通信端末との通信状態を検出する検出部と、
前記認証済通信端末と通信を行っていることが検出されたときに、前記認証済通信端末に送信した画像データを前記一時的認証通信端末にも送信する制御部と、
前記認証済通信端末との通信が終了したことが検出されたときに、前記非認証通信端末の一時的な認証を終了する認証終了部と、
を備えることを特徴とするデータサーバ。
【発明の詳細な説明】
【技術分野】
【０００１】
本発明は、ドキュメント閲覧システム及びその制御方法、データサーバに関するものである。
【背景技術】
【０００２】
インターネットを利用して、データサーバと通信を行い、データサーバに記憶されたドキュメントデータを取得する通信端末として、携帯電話、スマートフォン、ＰＤＡ（Ｐｅｒｓｏｎａｌ  Ｄｉｇｉｔａｌ  Ａｓｓｉｓｔａｎｔ）等の携帯端末が普及している。これらは、データサーバから取得したデータをＬＣＤに表示する。データサーバには、ドキュメントデータとして、Ｍｉｃｒｏｓｏｆｔ  Ｗｏｒｄで作成された文書データであるワードデータ、Ｍｉｃｒｏｓｏｆｔ  Ｅｘｃｅｌで作成されたエクセルデータ、Ａｕｔｏ  Ｃａｄで作成された図面データ、画像データ等が記憶されている。
【０００３】
会社内のデータサーバでは、ドキュメントデータの改竄を防止するため、画像データ以外のワードデータやエクセルデータ等の閲覧要求があった場合、これらを画像データに変換した後、通信端末に送信している。また、会社内のデータサーバでは、セキュリティを確保するため、同社の社員が持つ通信端末での閲覧のみ認証している。一方で、社員や、打合せに来た来訪者が、それぞれの携帯端末で同じ画像データを表示しながら打合せを行いたいときがあるが、来訪者が持つ携帯端末での閲覧は認証されていないため、それぞれの携帯端末で同じ画像データを表示することができない。この場合、閲覧が認証された携帯端末の画面に表示した画像データを複数の人で見たり、プロジェクタや大画面モニタを用いて表示することが考えられるが、前者は多人数で見ることが難しく、後者は携帯端末の他にプロジェクタやモニタが必要となる。
【０００４】
特許文献１の機密文書閲覧認証システムでは、データサーバへのアクセス権を有していない端末が閲覧を申請したときに、データサーバが承認者に承認を行うか否かを判定させ、承認されたときに、アクセス権を有していない端末での閲覧を認証している。
【先行技術文献】
【特許文献】
【０００５】
【特許文献１】特開２００９−０３２２１２号公報
【発明の概要】
【発明が解決しようとする課題】
【０００６】
特許文献１の機密文書閲覧認証システムでは、承認者から承認された端末でのみ閲覧可能とすることで、セキュリティを確保しているが、一度承認された端末では、それ以降は恒久的に閲覧可能となるため、セキュリティ上で問題があった。
【０００７】
本発明は、上記課題を解決するためになされたものであり、セキュリティを確保しながらも、複数の通信端末で同一の画像データを表示することができるようにしたドキュメント閲覧システム及びその制御方法、データサーバを提供することを目的とする。
【課題を解決するための手段】
【０００８】
上記目的を達成するために、本発明のドキュメント閲覧システムは、画像データの表示機能を有する複数の通信端末と、ドキュメントデータの記憶部と、ドキュメントデータを画像データに変換するデータ変換部と、複数の通信端末との間で交信する通信部と、複数の通信端末を個別に認証する認証部とを有し、認証部にて認証済みの認証済通信端末に画像データを送信するデータサーバと、を備えるドキュメント閲覧システムにおいて、認証済通信端末は、認証部にて認証されていない非認証通信端末から、そのＩＤ情報及び画像データの閲覧を要求する閲覧要求情報が受信されたときに、非認証通信端末で一時的に閲覧させるための一時的閲覧用情報を生成する第１情報生成部と、非認証通信端末での一時的な閲覧を認証するか否かを判定する判定部と、一時的閲覧用情報を非認証通信端末に送信し、判定部での判定結果情報をデータサーバに送信する第１制御部と、を有し、非認証通信端末は、閲覧要求情報を生成するとともに、認証済通信端末から一時的閲覧用情報が受信されたときに、一時的な閲覧を要求する一時的閲覧要求情報を生成する第２情報生成部と、閲覧要求情報を認証済通信端末に送信し、一時的閲覧要求情報をデータサーバに送信する第２制御部と、を有し、データサーバは、非認証通信端末から一時的閲覧要求情報が受信されたときに、判定部での判定を実行させるための判定実行情報を生成する第３情報生成部と、判定実行情報を認証済通信端末に送信する第３制御部と、認証済通信端末から判定部で閲覧を認証すると判定された認証情報が受信されたときに、非認証通信端末を一時的認証通信端末として認証する一時的認証部と、認証済通信端末との通信状態を検出する検出部と、認証済通信端末と通信を行っていることが検出されたときに、認証済通信端末に送信した画像データを一時的認証通信端末にも送信する第４制御部と、認証済通信端末との通信が終了したことが検出されたときに、非認証通信端末の一時的な認証を終了する認証終了部と、を有することを特徴とする。
【０００９】
なお、通信端末としては、携帯電話、スマートフォン、ノートパソコン、デスクトップパソコン、ＰＤＡ等が挙げられる。また、ドキュメントデータとしては、ワードデータ、エクセルデータ、図面データ、画像データ、ＰＤＦ（Ｐｏｒｔａｂｌｅ  Ｄｏｃｕｍｅｎｔ  Ｆｏｒｍａｔ）データ等が挙げられる。
【００１０】
また、データサーバは、認証済通信端末から判定部で閲覧を認証しないと判定された不認証情報が受信されたときに、閲覧不認証を示す閲覧不認証画像データを非認証通信端末に送信することが好ましい。
【００１１】
さらに、データサーバは、非認証通信端末から閲覧を要求されたドキュメントデータのセッションＩＤを非認証通信端末に送信し、非認証通信端末は、データサーバからのセッションＩＤを含む閲覧要求情報を送信し、一時的閲覧用情報と、一時的閲覧要求情報と、判定実行情報とには、閲覧要求情報内のセッションＩＤが含まれ、判定部は、判定実行情報に含まれるセッションＩＤが、認証済通信端末で閲覧中のドキュメントデータのセッションＩＤと同じである場合には閲覧を認証し、異なる場合には閲覧を認証しないことが好ましい。
【００１２】
本発明のドキュメント閲覧システムは、画像データの表示機能を有する複数の通信端末と、ドキュメントデータの記憶部と、ドキュメントデータを画像データに変換するデータ変換部と、複数の通信端末との間で交信する通信部と、複数の通信端末を個別に認証する認証部とを有し、認証部にて認証済みの認証済通信端末に画像データを送信するデータサーバと、を備えるドキュメント閲覧システムにおいて、認証済通信端末は、認証部にて認証されていない非認証通信端末から、そのＩＤ情報及び画像データの閲覧を要求する閲覧要求情報が受信されたときに、非認証通信端末で一時的に閲覧させるための一時的閲覧用情報をデータサーバで生成させるための生成要求情報を生成する第１情報生成部と、生成要求情報をデータサーバに送信し、データサーバから一時的閲覧用情報が受信されたときに、一時的閲覧用情報を非認証通信端末に送信する第１制御部と、を有し、非認証通信端末は、閲覧要求情報を生成する第２情報生成部と、閲覧要求情報を認証済通信端末に送信し、認証済通信端末から一時的閲覧用情報が受信されたときに、一時的閲覧用情報をデータサーバに送信する第２制御部を有し、データサーバは、認証済通信端末から生成要求情報が受信されたときに、一時的閲覧用情報を生成する第３情報生成部と、一時的閲覧用情報を認証済通信端末に送信する第３制御部と、非認証通信端末から一時的閲覧用情報が受信されたときに、非認証通信端末を一時的認証通信端末として認証する一時的認証部と、認証済通信端末との通信状態を検出する検出部と、認証済通信端末と通信を行っていることが検出されたときに、認証済通信端末に送信した画像データを一時的認証通信端末にも送信する第４制御部と、認証済通信端末との通信が終了したことが検出されたときに、非認証通信端末の一時的な認証を終了する認証終了部と、を有することを特徴とする。
【００１３】
本発明のドキュメント閲覧システムは、画像データの表示機能を有する複数の通信端末と、ドキュメントデータの記憶部と、ドキュメントデータを画像データに変換するデータ変換部と、複数の通信端末との間で交信する通信部と、複数の通信端末を個別に認証する認証部とを有し、認証部にて認証済みの認証済通信端末に画像データを送信するデータサーバと、を備えるドキュメント閲覧システムにおいて、認証済通信端末は、認証部にて認証されていない非認証通信端末から、そのＩＤ情報及び画像データの閲覧を要求する閲覧要求情報が受信されたときに、非認証通信端末で一時的に閲覧させるための一時的閲覧用情報を生成する第１情報生成部と、一時的閲覧用情報を非認証通信端末に送信する第１制御部と、データサーバから非認証通信端末の一時的な閲覧を認証する閲覧認証情報が受信され、かつ非認証通信端末から閲覧認証を要求する閲覧認証要求情報が受信されたときに、閲覧認証情報を非認証通信端末に送信する第２制御部と、を有し、非認証通信端末は、閲覧要求情報と閲覧認証要求情報とを生成するとともに、認証済通信端末から一時的閲覧用情報が受信されたときに、一時的な閲覧を要求する一時的閲覧要求情報を生成する第２情報生成部と、閲覧要求情報と閲覧認証要求情報とを認証済通信端末に送信し、認証済通信端末から受信された閲覧認証情報と一時的閲覧要求情報とをデータサーバに送信する第２制御部と、を有し、データサーバは、非認証通信端末から認証済通信端末に閲覧認証要求情報を送信させるための認証要求送信指令情報と、閲覧認証情報とを生成する第３情報生成部と、認証要求送信指令情報を非認証通信端末に送信し、閲覧認証情報を認証済通信端末に送信する第３制御部と、非認証通信端末から受信された閲覧認証情報が、認証済通信端末に送信した閲覧認証情報と一致している場合に、非認証通信端末を一時的認証通信端末として認証する一時的認証部と、認証済通信端末との通信状態を検出する検出部と、認証済通信端末と通信を行っていることが検出されたときに、認証済通信端末に送信した画像データを一時的認証通信端末にも送信する第４制御部と、認証済通信端末との通信が終了したことが検出されたときに、非認証通信端末の一時的な認証を終了する認証終了部と、を有することを特徴とする。
【００１４】
本発明のドキュメント閲覧システムの制御方法は、画像データの表示機能を有する複数の通信端末と、ドキュメントデータの記憶部と、ドキュメントデータを画像データに変換するデータ変換部と、複数の通信端末との間で交信する通信部と、複数の通信端末を個別に認証する認証部とを有し、認証部にて認証済みの認証済通信端末に画像データを送信するデータサーバと、を備えるドキュメント閲覧システムの制御方法において、認証部にて認証されていない非認証通信端末で画像データの閲覧を要求する閲覧要求情報を生成し、認証済通信端末に送信する第１制御ステップと、非認証通信端末からの閲覧要求情報に基づいて、非認証通信端末で一時的に閲覧させるための一時的閲覧用情報前を認証済通信端末で生成し、非認証通信端末に送信する第２制御ステップと、認証済通信端末からの一時的閲覧用情報に基づいて、一時的な閲覧を要求する一時的閲覧要求情報を非認証通信端末で生成し、データサーバに送信する第３制御ステップと、非認証通信端末からの一時的閲覧要求情報に基づいて、非認証通信端末での閲覧を認証するか否かの判定を認証済通信端末で実行させるための判定実行情報をデータサーバで生成し、認証済通信端末に送信する第４制御ステップと、データサーバからの判定実行情報に基づいて、認証済通信端末で判定を行い、判定結果情報をデータサーバに送信する第５制御ステップと、認証済通信端末から判定部で閲覧を認証すると判定された認証情報をデータサーバで受信した場合に、非認証通信端末を一時的認証通信端末として認証する第５制御ステップと、認証済通信端末との通信状態をデータサーバで検出する第６制御ステップと、認証済通信端末と通信を行っていることが検出されたときに、認証済通信端末に送信した画像データを一時的認証通信端末にも送信する第７制御ステップと、認証済通信端末との通信が終了したことが検出されたときに、非認証通信端末の一時的な認証を終了する第８制御ステップと、を有することを特徴とする。
【００１５】
本発明のドキュメント閲覧システムの制御方法は、画像データの表示機能を有する複数の通信端末と、ドキュメントデータの記憶部と、ドキュメントデータを画像データに変換するデータ変換部と、複数の通信端末との間で交信する通信部と、複数の通信端末を個別に認証する認証部とを有し、認証部にて認証済みの認証済通信端末に画像データを送信するデータサーバと、を備えるドキュメント閲覧システムの制御方法において、認証部にて認証されていない非認証通信端末で画像データの閲覧を要求する閲覧要求情報を生成し、認証済通信端末に送信する第１制御ステップと、非認証通信端末からの閲覧要求情報に基づいて、非認証通信端末で一時的に閲覧させるための一時的閲覧用情報をデータサーバで生成させるための生成要求情報を認証済通信端末で生成し、データサーバに送信する第２制御ステップと、認証済通信端末からの生成要求情報に基づいて、一時的閲覧用情報をデータサーバで生成し、認証済通信端末に送信する第３制御ステップと、一時的閲覧用情報を、認証済通信端末から非認証通信端末に送信する第４制御ステップと、一時的閲覧用情報を、非認証通信端末からデータサーバに送信する第５制御ステップと、データサーバで、認証済通信端末から一時的閲覧用情報を受信されたときに、非認証通信端末を一時的認証通信端末として認証する第６制御ステップと、認証済通信端末との通信状態をデータサーバで検出する第７制御ステップと、認証済通信端末と通信を行っていることが検出されたときに、認証済通信端末に送信した画像データを一時的認証通信端末にも送信する第８制御ステップと、認証済通信端末との通信が終了したことが検出されたときに、非認証通信端末の一時的な認証を終了する第９制御ステップと、を有することを特徴とする。
【００１６】
本発明のドキュメント閲覧システムの制御方法は、画像データの表示機能を有する複数の通信端末と、ドキュメントデータの記憶部と、ドキュメントデータを画像データに変換するデータ変換部と、複数の通信端末との間で交信する通信部と、複数の通信端末を個別に認証する認証部とを有し、認証部にて認証済みの認証済通信端末に画像データを送信するデータサーバと、を備えるドキュメント閲覧システムの制御方法において、認証部にて認証されていない非認証通信端末で画像データの閲覧を要求する閲覧要求情報を生成し、認証済通信端末に送信する第１制御ステップと、非認証通信端末からの閲覧要求情報に基づいて、非認証通信端末で一時的に閲覧させるための一時的閲覧用情報を認証済通信端末で生成し、非認証通信端末に送信する第２制御ステップと、認証済通信端末からの一時的閲覧用情報に基づいて、一時的な閲覧を要求する一時的閲覧要求情報を非認証通信端末で生成し、データサーバに送信する第３制御ステップと、非認証通信端末からの一時的閲覧要求情報に基づいて、非認証通信端末から閲覧認証を要求する閲覧認証要求情報を送信させるような認証要求送信指令情報をデータサーバで生成し、非認証通信端末に送信する第４制御ステップと、非認証通信端末からの一時的閲覧要求情報に基づいて、一時的な閲覧を認証する閲覧認証情報をデータサーバで生成し、認証済通信端末に送信する第５制御ステップと、データサーバからの認証要求送信指令情報に基づいて、閲覧認証要求情報を非認証通信端末で生成し、認証済通信端末に送信する第６制御ステップと、非認証通信端末からの閲覧認証要求情報に基づいて、データサーバからの閲覧認証情報を認証済通信端末から非認証通信端末に送信する第７制御ステップと、認証済通信端末からの閲覧認証情報を、非認証通信端末からデータサーバに送信する第８制御ステップと、非認証通信端末からの閲覧認証情報が、認証済通信端末に送信した閲覧認証情報と一致している場合に、非認証通信端末を一時的認証通信端末として認証する第９制御ステップと、認証済通信端末との通信状態をデータサーバで検出する第１０制御ステップと、認証済通信端末と通信を行っていることが検出されたときに、認証済通信端末に送信した画像データを一時的認証通信端末にも送信する第１１制御ステップと、認証済通信端末との通信が終了したことが検出されたときに、非認証通信端末の一時的な認証を終了する第１２制御ステップと、を有することを特徴とする。
【００１７】
本発明のデータサーバは、ドキュメントデータの記憶部と、ドキュメントデータを画像データに変換するデータ変換部と、画像データの表示機能を有する複数の通信端末との間で交信する通信部と、複数の通信端末を個別に認証する認証部とを有し、認証部にて認証済みの認証済通信端末に画像データを送信するデータサーバであって、認証部にて認証されていない非認証通信端末から、そのＩＤ情報及び画像データの一時的な送信要求が受信され、かつ認証済通信端末から、ＩＤ情報とともに画像データの送信要求が受信されたときに、非認証通信端末を一時的認証通信端末として認証する一時的認証部と、認証済通信端末との通信状態を検出する検出部と、認証済通信端末と通信を行っていることが検出されたときに、認証済通信端末に送信した画像データを一時的認証通信端末にも送信する制御部と、認証済通信端末との通信が終了したことが検出されたときに、非認証通信端末の一時的な認証を終了する認証終了部と、を備えることを特徴とする。
【００１８】
本発明のデータサーバは、ドキュメントデータの記憶部と、ドキュメントデータを画像データに変換するデータ変換部と、画像データの表示機能を有する複数の通信端末との間で交信する通信部と、複数の通信端末を個別に認証する認証部とを有し、認証部にて認証済みの認証済通信端末に画像データを送信するデータサーバであって、認証部にて認証されていない非認証通信端末前で一時的に閲覧させるための一時的閲覧用情報を生成する情報生成部と、一時的閲覧用情報を認証済通信端末に送信する第１制御部と、非認証通信端末から、そのＩＤ情報とともに一時的閲覧用情報が受信されたときに、非認証通信端末を一時的認証通信端末として認証する一時的認証部と、認証済通信端末との通信状態を検出する検出部と、認証済通信端末と通信を行っていることが検出されたときに、認証済通信端末に送信した画像データを一時的認証通信端末にも送信する第２制御部と、認証済通信端末との通信が終了したことが検出されたときに、非認証通信端末の一時的な認証を終了する認証終了部と、を備えることを特徴とする。
【００１９】
本発明のデータサーバは、ドキュメントデータの記憶部と、ドキュメントデータを画像データに変換するデータ変換部と、画像データの表示機能を有する複数の通信端末との間で交信する通信部と、複数の通信端末を個別に認証する認証部とを有し、認証部にて認証済みの認証済通信端末に画像データを送信するデータサーバであって、認証部にて認証されていない非認証通信端末から、そのＩＤ情報及び画像データの一時的な送信要求が受信され、かつ認証済通信端末から、ＩＤ情報とともに画像データの送信要求が受信されたときに、閲覧を一時的に認証するための閲覧認証情報を生成する情報生成部と、閲覧認証情報を認証済通信端末に送信する第１制御部と、非認証通信端末から閲覧に係る情報が受信され、この情報が認証済通信端末に送信した閲覧認証情報と一致している場合に、非認証通信端末を一時的認証通信端末として認証する一時的認証部と、認証済通信端末との通信状態を検出する検出部と、認証済通信端末と通信を行っていることが検出されたときに、認証済通信端末に送信した画像データを一時的認証通信端末にも送信する制御部と、認証済通信端末との通信が終了したことが検出されたときに、非認証通信端末の一時的な認証を終了する認証終了部と、を備えることを特徴とする。
【発明の効果】
【００２０】
本発明によれば、非認証通信端末は、認証済通信端末で認証され、データサーバで一時的な閲覧を認証された場合のみ、ドキュメントデータの閲覧が可能となり、さらに、データサーバは、認証済通信端末との通信が終了したときに、非認証通信端末の一時的な認証を終了するから、セキュリティを確保しながらも、複数の通信端末で同一の画像データを表示することができる。
【図面の簡単な説明】
【００２１】
【図１】ドキュメント閲覧システムを示す説明図である。
【図２】第１，第２携帯電話の電気的構成を示すブロック図である。
【図３】第１携帯電話で第１画像データを表示した状態のＬＣＤを示す正面図である。
【図４】第２携帯電話で閲覧不認証画像データを表示した状態のＬＣＤを示す正面図である。
【図５】ドキュメントデータ閲覧の処理の流れを示すフローチャートである。
【図６】第２実施形態のドキュメントデータ閲覧の処理の流れを示すフローチャートである。
【図７】第３実施形態のドキュメントデータ閲覧の処理の流れを示すフローチャートである。
【発明を実施するための形態】
【００２２】
［第１実施形態］
図１及び図２に示すように、ドキュメント閲覧システム２は、データサーバ１０と、第１携帯電話１１と、第２携帯電話１２とを備える。各携帯電話１１，１２は、インターネット１５を介してデータサーバ１０と通信可能となっている。
【００２３】
データサーバ１０は、インターネット１５を介して各携帯電話１１，１２と通信を行うための通信部２１と、ワードデータ、エクセルデータ、図面データ等の複数のドキュメントデータを記憶したデータベース（以下、ＤＢと称する）２２と、ＤＢ制御部２３と、ＣＰＵ２４と、各携帯電話１１，１２でのドキュメントデータの閲覧を認証する認証部２５とが設けられている。また、データサーバ１０は、ドキュメントデータの形式（種別、解像度）を変換するデータ変換部２６と、ドキュメントデータの一時的な閲覧を認証するための情報を生成する情報生成部２７と、各携帯電話１１，１２との通信状態を検出する通信検出部２８と、メモリ２９が設けられている。各部は、データバス２０を介してＣＰＵ２４に接続されており、ＣＰＵ２４により統括的に制御される。また、複数のドキュメントデータは、それぞれ異なるセッションＩＤが割り振られている。
【００２４】
メモリ２９には、閲覧を認証するＩＤデータが記憶されている。認証部２５は、各携帯電話から送信されたＩＤデータが、閲覧を認証するＩＤデータであるかを判定する。本実施形態では、第１携帯電話１１は、データサーバ１０を有するＡＢ社の社員が持つ携帯電話で、認証部２５で閲覧が認証され、第２携帯電話１２は、ＡＢ社への来訪者が持つ携帯電話で、認証部２５で閲覧が認証されない例として説明を行う。
【００２５】
第１携帯電話１１は、電源ボタン３１、複数の入力ボタン３２、各種設定、選択及び決定を行うメニューキー３３、ＬＣＤ３４が設けられている。また、第１携帯電話１１は、インターネット１５を介してデータサーバ１０と通信を行うための通信部３５、第１携帯電話１１を制御するためのＣＰＵ３６、メモリ３７、第２携帯電話１２と周知のＢｌｕｅｔｏｏｔｈ(登録商標）規格方式で通信を行うための短距離通信部３８、ドキュメントデータの一時的な閲覧を認証するための情報を生成する情報生成部３９が設けられている。ＬＣＤ３４は、例えば４８０×８５４ドット表示可能であり、このＬＣＤ３４の設定解像度データは、メモリ３７に記憶されている。
【００２６】
第２携帯電話１２は、第１携帯電話１１と同様に、電源ボタン４１、入力ボタン４２、メニューキー４３、ＬＣＤ４４、通信部４５、ＣＰＵ４６、メモリ４７、短距離通信部４８、情報生成部４９が設けられている。ＬＣＤ４４は、例えば２４０×４００ドット表示可能であり、このＬＣＤ４４の設定解像度データは、メモリ４７に記憶されている。
【００２７】
各携帯電話１１，１２は、固定電話や他の携帯電話と通話を行う通話モードと、データサーバ１０及び他の携帯電話と通信可能な通信モードとが設けられている。
【００２８】
メモリ３７には、複数の電話番号が記憶されており、通話モード時に、メニューキー３３を操作してメモリ３７に記憶された電話番号を読み出すか、入力ボタン３２を操作して電話番号を入力すると、通信部３５を介して携帯電話会社の基地局と無線通信が行われる。そして、第１携帯電話１１内部に配されたマイク及びスピーカ（図示せず）を介して、固定電話や他の携帯電話との通話が行われる。
【００２９】
メニューキー３３を操作して通信モードに切り換え、データサーバ１０にアクセスするためのＵＲＬを入力する、またはメモリ３７に記憶されたＵＲＬを読み出すと、第１携帯電話１１は、インターネット１５を介してデータサーバ１０に接続される。通信モードでは、ＩＤデータと、ＬＣＤ３４の設定解像度データを、データサーバ１０に送信する。第１携帯電話１１のＩＤデータは、データサーバ１０のメモリ２９に記憶された閲覧認証ＩＤデータの中にあるので、認証部２５により、第１携帯電話１１はドキュメントデータの閲覧が認証される。
【００３０】
メニューキー３３を操作して、ＤＢ２２内のドキュメントデータの中から閲覧するドキュメントデータ（例えば、１０ページのワードデータであるドキュメントデータ）を１つ選択すると、ＤＢ制御部２３は、選択されたドキュメントデータをデータ変換部２６に送る。データ変換部２６は、ＬＣＤ３４の設定解像度データに基づいて、ドキュメントデータをＬＣＤ３４で表示可能な形式・画素数（ドット数＝４８０×８５４の画像データ）の第１画像データに変換する。本実施形態では、ドキュメントデータは１０ページ分のワードデータであるので、１０ページ分の第１画像データが作成される。なお、エクセルデータや図面データが選択された場合も、同じような制御が行われる。
【００３１】
第１画像データは、通信部２１、インターネット１５を介して第１携帯電話１１に送信される。第１画像データは、通信部３５で受信され、図３に示すように、第１ページがＬＣＤ３４に表示される。
【００３２】
第２携帯電話１２も、通話モードでは、第１携帯電話１１と同様の制御が行われる。第２携帯電話１２は、認証部２５によりドキュメントデータの閲覧が認証されないため、通信モードでは、データサーバ１０のドキュメントデータの中から閲覧するものを取得することができない。このため、メニューキー３３を操作して、ＤＢ２２内のドキュメントデータの中から閲覧を要求するドキュメントデータを１つ選択すると、ＤＢ制御部２３は、選択されたドキュメントデータのセッションＩＤを読み出し、通信部２１から第２携帯電話に送信する。第２携帯電話１２は、データサーバ１０からセッションＩＤを受信すると、閲覧を要求している旨を示す閲覧要求情報を情報生成部４９で生成し、第１携帯電話１１に送信する。この閲覧要求情報には、閲覧を要求しているドキュメントデータのアクセス先ＵＲＬ及びセッションＩＤと、第２携帯電話１２のＩＤデータとが含まれる。
【００３３】
第１携帯電話１１は、第２携帯電話１２から閲覧要求情報を受信すると、閲覧要求情報に含まれるセッションＩＤのドキュメントデータを一時的に閲覧させるための一時的閲覧用情報（アクセス先ＵＲＬ、セッションＩＤ、第１携帯電話１１のＩＤを含む）を情報生成部３９で生成し、第２携帯電話１２に送信する。
【００３４】
第２携帯電話１２は、一時的閲覧用情報を受信すると、受信した一時的閲覧用情報に含まれるアクセス先ＵＲＬに基づいて、インターネット１５を介してデータサーバ１０に接続するとともに、一時的閲覧要求情報（セッションＩＤ、第１携帯電話１１のＩＤ、第２携帯電話１２のＩＤ、ＬＣＤ４４の設定解像度データを含む）を情報生成部４９で生成し、データサーバ１０に送信する。
【００３５】
データサーバ１０は、一時的閲覧要求情報を受信すると、この閲覧要求に応じるか否かの判定を実行させるための判定実行情報を情報生成部２７で生成し、一時的閲覧要求情報内の第１携帯電話１１のＩＤに基づいて、判定実行情報を第１携帯電話１１に送信する。この判定実行情報には、第２携帯電話１２からの一時的閲覧要求情報内のセッションＩＤと、第２携帯電話１２のＩＤとが含まれる。
【００３６】
第１携帯電話１１のＣＰＵ３６は、判定実行情報を受信すると、閲覧を認証するか否かを判定する。第１携帯電話１１は、判定実行情報に含まれるセッションＩＤが、第１携帯電話１１で閲覧中のセッションＩＤである場合には、第２携帯電話１２の一時的な閲覧を認証して画像データを送信するように要求する閲覧認証情報を情報生成部３９で生成し、データサーバ１０に送信する。この閲覧認証情報には、データサーバ１０からの判定実行情報内のセッションＩＤと、第２携帯電話１２のＩＤとが含まれる。
【００３７】
データサーバ１０で閲覧認証情報を受信すると、それに含まれる第２携帯電話１２のＩＤに基づいて、ＣＰＵ２４は、第２携帯電話１２の一時的な認証を行う。ＤＢ制御部２３は、閲覧認証情報内のセッションＩＤに基づいて、第１画像データの元データであるドキュメントデータを検索する。そして、データ変換部２６は、ＬＣＤ４４の設定解像度データに基づいて、検索したドキュメントデータをＬＣＤ４４で表示可能な形式・画素数の１０ページ分の第２画像データに変換する。この第２画像データは、第１携帯電話１１に送信した第１画像データとは画素数が異なるが、同じドキュメントの画像データ（第１画像データと同じ画像データ）となる。
【００３８】
データサーバ１０の通信検出部２８は、第１携帯電話１１との通信状態を検出しており、第１携帯電話１１と通信中である場合、第２画像データを、第２携帯電話１２に送信する。第２携帯電話１２のＣＰＵ４６は、受信した第２画像データをＬＣＤ４４に表示する。
【００３９】
一方、第１携帯電話１１は、判定実行情報に含まれるセッションＩＤが、第１携帯電話１１で閲覧中のセッションＩＤでない場合には、閲覧を認証しない閲覧不認証情報を情報生成部３９で生成し、データサーバ１０に送信する。なお、一度は第１携帯電話１１から閲覧認証情報をデータサーバ１０に送信した場合でも、第１携帯電話１１で第１画像データに係るドキュメントの閲覧を終了し、別のドキュメントを閲覧し始めたときには、判定実行情報に含まれるセッションＩＤが第１携帯電話１１で閲覧中のセッションＩＤでないと判定されるため、閲覧不認証情報をデータサーバ１０に送信する。データサーバ１０は、一度は第２携帯電話１２の一時的な認証を行った場合でも、それ以降に閲覧不認証情報を受信すると、第２携帯電話１２の一時的な認証を終了し、第２携帯電話１２との通信も強制的に終了する。
【００４０】
データサーバ１０で閲覧不認証情報を受信すると、データ変換部２６は、ＤＢ２２に記憶され、閲覧が認証されていない旨を示すドキュメントデータ（例えば「この携帯電話は閲覧が認証されていません」）をＬＣＤ４４で表示可能な形式・画素数の閲覧不認証画像データに変換する。この閲覧不認証画像データは、第２携帯電話１２に送信され、図４に示すように、第２携帯電話１２のＣＰＵ４６は、受信した閲覧不認証画像データをＬＣＤ４４に表示する。
【００４１】
データサーバ１０の通信検出部２８は、第１携帯電話１１との通信状態を検出しており、第１携帯電話１１との通信が終了したときには、第２携帯電話１２の一時的な認証を終了し、第２携帯電話１２との通信も強制的に終了する。
【００４２】
次に、上記第１実施形態の作用について、図５のフローチャートを用いて説明を行う。先ず、ドキュメントデータの閲覧が認証される第１携帯電話１１を通信モードに切り換えて、インターネット１５を介してデータサーバ１０に接続する（ステップ（以下、Ｓ）１）。以下、第１携帯電話１１では、第２携帯電話１２でドキュメントデータを閲覧するまで、データサーバ１０に接続して同じドキュメントを閲覧している。
【００４３】
通信モードでは、第１携帯電話１１は、ＩＤデータと、ＬＣＤ３４の設定解像度データとを、データサーバ１０に送信する（Ｓ２）。第１携帯電話１１のＩＤデータは、データサーバ１０のメモリ２９に記憶された閲覧認証ＩＤデータの中にあるので、認証部２５により、閲覧が認証される。メニューキー３３を操作して、データサーバ１０のＤＢ２２内のドキュメントデータから閲覧する１つを選択すると、データサーバ１０のデータ変換部２６は、ＬＣＤ３４の設定解像度データに基づいて、選択されたドキュメントデータをＬＣＤ３４で表示可能な形式・画素数（ドット数＝４８０×８５４の画像データ）の第１画像データに変換する（Ｓ３）。
【００４４】
第１画像データは、通信部２１、インターネット１５を介して送信され（Ｓ４）、第１携帯電話１１の通信部３５で受信される（Ｓ５）。第１携帯電話１１のＣＰＵ３６は、図３に示すように、受信した第１画像データをＬＣＤ３４に表示する（Ｓ６）。
【００４５】
ドキュメントデータの閲覧が認証されていない第２携帯電話１２を通信モードに切り換えて、インターネット１５を介してデータサーバ１０に接続し、メニューキー３３を操作して、データサーバ１０のＤＢ２２内のドキュメントデータから閲覧を要求するドキュメントデータを１つ選択すると、ＤＢ制御部２３は、選択されたドキュメントデータのセッションＩＤを読み出し、通信部２１から第２携帯電話に送信する。第２携帯電話１２は、受信したセッションＩＤと、アクセス先ＵＲＬと、第２携帯電話１２のＩＤデータとを含む閲覧要求情報を生成し、短距離通信部４８から第１携帯電話１１に送信する（Ｓ７）。
【００４６】
第１携帯電話１１は、短距離通信部３８で第２携帯電話１２からの閲覧要求情報を受信する（Ｓ８）と、閲覧要求情報に含まれるセッションＩＤのドキュメントデータを一時的に閲覧させるための一時的閲覧用情報（アクセス先ＵＲＬ、セッションＩＤ、第１携帯電話１１のＩＤを含む）を第２携帯電話１２に送信する（Ｓ９）。
【００４７】
第２携帯電話１２は、一時的閲覧用情報を受信する（Ｓ１０）と、この一時的閲覧用情報に含まれるアクセス先ＵＲＬに基づいて、インターネット１５を介してデータサーバ１０に接続するとともに、情報生成部４９で一時的閲覧要求情報（セッションＩＤ、第１携帯電話１１のＩＤ、第２携帯電話１２のＩＤ、ＬＣＤ４４の設定解像度データを含む）を生成し、データサーバ１０に送信する（Ｓ１１）。
【００４８】
データサーバ１０は、一時的閲覧要求情報を受信すると、この閲覧要求に応じるか否かの判定を実行させるための判定実行情報（セッションＩＤ、第２携帯電話１２のＩＤを含む）を生成し、第１携帯電話１１に送信する（Ｓ１２）。
【００４９】
第１携帯電話１１は、判定実行情報を受信する（Ｓ１３）と、閲覧を認証するか否かを判定する（Ｓ１４）。判定実行情報に含まれるセッションＩＤが、第１携帯電話１１で閲覧中のセッションＩＤである場合には閲覧を認証し（Ｓ１４でＹ）、判定実行情報に含まれるセッションＩＤが、第１携帯電話１１で閲覧中のセッションＩＤでない場合は閲覧を認証しない（Ｓ１４でＮ）。本実施形態では、１０ページ分の第１画像データに同じセッションＩＤが割り振られているので、第１携帯電話１１で第１画像データのどのページを閲覧している（例えば、５ページや８ページを閲覧中）場合でも、閲覧が認証される。
【００５０】
第１携帯電話１１は、閲覧を認証する場合（Ｓ１４でＹ）には、第２携帯電話１２の一時的な閲覧を認証して画像データを送信するように要求する閲覧認証情報（セッションＩＤ、第２携帯電話１２のＩＤを含む）を生成し、データサーバ１０に送信する（Ｓ１５）。
【００５１】
データサーバ１０で閲覧認証情報を受信する（Ｓ１６、Ｓ１７でＹ）と、それに含まれる第２携帯電話１２のＩＤに基づいて、ＣＰＵ２４は、第２携帯電話１２の一時的な認証を行う。ＤＢ制御部２３は、閲覧認証情報に含まれるセッションＩＤに基づいて、第１画像データの元データであるドキュメントデータを検索する。そして、データ変換部２６は、ＬＣＤ４４の設定解像度データに基づいて、検索したドキュメントデータをＬＣＤ４４で表示可能な形式・画素数の第２画像データに変換する（Ｓ１８）。
【００５２】
データサーバ１０の通信検出部２８は、第１携帯電話１１との通信状態を検出しており、第１携帯電話１１と通信中であることが検出されたときに、ＣＰＵ２４は、第２画像データを第２携帯電話１２に送信する（Ｓ１９）。この第２画像データは、第２携帯電話１２の通信部４５で受信される（Ｓ２０）。
【００５３】
第２携帯電話１２のＣＰＵ４６は、第２画像データを通信部４５で受信する（Ｓ２０）と、この第２画像データをＬＣＤ４４に表示する（Ｓ２１）。これにより、第１，第２携帯電話１１，１２で同じドキュメントを閲覧することができ、さらに、ドキュメントデータの閲覧が認証されていない第２携帯電話１２では、第１携帯電話１１で認証された場合にのみドキュメントデータが閲覧可能となるので、セキュリティが確保される。
【００５４】
一方、第１携帯電話１１は、閲覧を認証しない場合（Ｓ１４でＮ）には閲覧不認証情報を生成し、データサーバ１０に送信する（Ｓ２２）。なお、一度は第１携帯電話１１から閲覧認証情報をデータサーバ１０に送信した場合でも、第１携帯電話１１で第１画像データに係るドキュメントの閲覧を終了し、別のドキュメントを閲覧し始めたときには、判定実行情報に含まれるセッションＩＤが第１携帯電話１１で閲覧中のセッションＩＤでないと判定されるため、閲覧不認証情報をデータサーバ１０に送信する。データサーバ１０は、一度は第２携帯電話１２の一時的な認証を行った場合でも、それ以降に閲覧不認証情報を受信すると、第２携帯電話１２の一時的な認証を終了し、第２携帯電話１２との通信も強制的に終了する。
【００５５】
データサーバ１０で閲覧不認証情報を受信する（Ｓ１６、Ｓ１７でＮ）と、閲覧が認証されていない旨を示すドキュメントデータ（「この携帯電話は閲覧が認証されていません」）をＬＣＤ４４で表示可能な形式・画素数の閲覧不認証画像データに変換する。この閲覧不認証画像データは、第２携帯電話１２に送信され（Ｓ２３）、第２携帯電話１２で受信される（Ｓ２０）。受信された閲覧不認証画像データは、図４に示すように、ＬＣＤ４４に表示される（Ｓ２１）。
【００５６】
データサーバ１０の通信検出部２８は、第１携帯電話１１の通信状態を検出しており、第１携帯電話１１との通信が終了したことが検出されたとき（Ｓ２４でＮ）に、ＣＰＵ２４は、第２携帯電話１２の一時的な認証を終了し、第２携帯電話１２との通信も強制的に終了する（Ｓ２５）。これにより、ドキュメントデータの閲覧が一時的に認証された第２携帯電話１２では、第１携帯電話１１で閲覧している間のみ閲覧可能となるので、セキュリティがより一層確保される。
【００５７】
［第２実施形態］
図６に示す第２実施形態では、データサーバ１０で一時的閲覧用情報を生成する。なお、第１実施形態のものと同様の構成部材には同一の符号を付し、その詳細な説明を省略する。
【００５８】
第１携帯電話１１を通信モードに切り換えて、インターネット１５を介してデータサーバ１０に接続する（Ｓ１０１）。以降、Ｓ１０２〜Ｓ１０７は、第１実施形態のＳ２〜Ｓ７と同様なので、説明を省略する。
【００５９】
第１携帯電話１１は、第２携帯電話１２からの閲覧要求情報を受信する（Ｓ１０８）と、一時的閲覧用情報をデータサーバ１０で生成させるための生成要求情報を情報生成部３９で生成し、データサーバ１０に送信する（Ｓ１０９）。データサーバ１０の通信部２１で生成要求情報を受信すると、情報生成部２７は、一時的閲覧用情報（アクセス先ＵＲＬ、セッションＩＤを含む）を生成し（Ｓ１１０）、第１携帯電話１１に送信する（Ｓ１１１）。なお、ここでのセッションＩＤは、第２携帯電話１２からのアクセスのみ有効なものである。
【００６０】
第１携帯電話１１は、一時的閲覧用情報を受信する（Ｓ１１２）と、この一時的閲覧用情報を第２携帯電話１２に送信する（Ｓ１１３）。
【００６１】
第２携帯電話１２は、一時的閲覧用情報を受信する（Ｓ１１４）と、一時的閲覧用情報に含まれるアクセス先ＵＲＬに基づいて、インターネット１５を介してデータサーバ１０に接続し、一時的閲覧用情報にＬＣＤ４４の設定解像度データを加えて送信する（Ｓ１１５）。
【００６２】
データサーバ１０で一時的閲覧用情報を受信すると、それに含まれる第２携帯電話１２のＩＤに基づいて、ＣＰＵ２４は、第２携帯電話１２の一時的な認証を行う。ＤＢ制御部２３は、第２携帯電話１２からの一時的閲覧用情報に含まれるセッションＩＤに基づいて、第１画像データの元データであるドキュメントデータを検索する。そして、データ変換部２６は、ＬＣＤ４４の設定解像度データに基づいて、検索したドキュメントデータをＬＣＤ４４で表示可能な形式・画素数（ドット数＝２４０×４００の画像データ）の第２画像データに変換する（Ｓ１１６）。この第２画像データは、第２携帯電話１２に送信され（Ｓ１１７）、通信部４５で受信されて（Ｓ１１８）、ＬＣＤ４４に表示される（Ｓ１１９）。
【００６３】
データサーバ１０のＣＰＵ２４は、第１携帯電話１１との通信が終了したとき（Ｓ１２０でＮ）には、第２携帯電話１２の一時的な認証を終了し、第２携帯電話１２との通信も強制的に終了する（Ｓ１２１）。
【００６４】
［第３実施形態］
図７に示す第３実施形態では、データサーバ１０で生成した閲覧認証情報を、第１携帯電話１１を介して第２携帯電話１２に送信する。なお、第１実施形態のものと同様の構成部材には同一の符号を付し、その詳細な説明を省略する。
【００６５】
第１携帯電話１１を通信モードに切り換えて、インターネット１５を介してデータサーバ１０に接続する（Ｓ２０１）。以降、Ｓ２０２〜Ｓ２１１は、第１実施形態のＳ２〜Ｓ１１と同様なので、説明を省略する。
【００６６】
データサーバ１０は、第２携帯電話１２から一時的閲覧要求情報を受信すると、第２携帯電話１２から閲覧認証を要求する情報を送信させるような認証要求送信指令情報を情報生成部２７で生成し、第２携帯電話１２に送信する（Ｓ２１２）。
【００６７】
第２携帯電話１２は、認証要求送信指令情報を受信する（Ｓ２１３）と、情報生成部４９で閲覧認証要求情報を生成し、第１携帯電話１１に送信する（Ｓ２１４）。この閲覧認証要求情報には、閲覧を要求しているドキュメントデータのアクセス先ＵＲＬ及びセッションＩＤが含まれる。
【００６８】
データサーバ１０は、Ｓ２１２の後、第２携帯電話１２の一時的な閲覧を認証する閲覧認証情報を第１携帯電話１１に送信する（Ｓ２１５）。この閲覧認証情報には、一時的閲覧要求情報内のセッションＩＤ及び第２携帯電話１２のＩＤが含まれる。第１携帯電話１１は、データサーバ１０から閲覧認証情報を受信する（Ｓ２１６）とともに、第２携帯電話１２から閲覧認証要求情報を受信する。閲覧認証要求情報に含まれるセッションＩＤが、閲覧認証情報に含まれるセッションＩＤであり、第１携帯電話１１で閲覧中のセッションＩＤである場合（Ｓ２１７でＹ）、閲覧認証情報を第２携帯電話１２に送信する（Ｓ２１８）。
【００６９】
第２携帯電話１２は、閲覧認証情報を受信する（Ｓ２１９）と、この閲覧認証情報をデータサーバ１０に送信する（Ｓ２２０）。
【００７０】
データサーバ１０で第２携帯電話１２から閲覧認証情報を受信する（Ｓ２２１）と、ＣＰＵ２４は、閲覧を認証するか否かを判定する（Ｓ２２２）。第２携帯電話１２から受信した閲覧認証情報が、データサーバ１０から第１携帯電話１１に送信した閲覧認証情報と同じ情報である場合には一時的な閲覧を認証し（Ｓ２２２でＹ）、同じ情報ではない場合は認証しない（Ｓ２２２でＮ）。
【００７１】
一時的な閲覧を認証する場合（Ｓ２２２でＹ）、ＤＢ制御部２３は、第２携帯電話１２からの一時的閲覧要求情報に含まれるセッションＩＤに基づいて、第１画像データの元データであるドキュメントデータを検索する。そして、データ変換部２６は、ＬＣＤ４４の設定解像度データに基づいて、検索したドキュメントデータをＬＣＤ４４で表示可能な形式・画素数の第２画像データに変換する（Ｓ２２３）。この第２画像データは、第２携帯電話１２に送信され（Ｓ２２４）、第２携帯電話１２の通信部４５で受信される（Ｓ２２５）。受信された第２画像データは、ＬＣＤ４４に表示される（Ｓ２２６）。
【００７２】
一方、閲覧を認証しない場合（Ｓ２２２でＮ）、データ変換部２６は、閲覧が認証されていない旨を示すドキュメントデータ（「この携帯電話は閲覧が認証されていません」）をＬＣＤ４４で表示可能な形式・画素数の閲覧不認証画像データに変換する。この閲覧不認証画像データは、第２携帯電話１２に送信され（Ｓ２２７）、第２携帯電話１２で受信される（Ｓ２２５）。受信された閲覧不認証画像データは、ＬＣＤ４４に表示される（Ｓ２２６）。
【００７３】
データサーバ１０の通信検出部２８で第１携帯電話１１との通信が終了したことが検出される（Ｓ２２８でＮ）と、ＣＰＵ２４は、第２携帯電話１２の一時的な認証を終了し、第２携帯電話１２との通信も強制的に終了する（Ｓ２２９）。
【００７４】
なお、上記実施形態では、第２携帯電話での一時的な閲覧が認証されたときに、１０ページ分の画像データをまとめて送信しているが、１ページ毎に閲覧認証判定を行い、１ページ毎に送信してもよい。この場合、第２携帯電話で閲覧を要求しているページを第１携帯電話で閲覧しているときのみ認証される。
【００７５】
また、上記実施形態では、ＬＣＤの設定解像度データをデータサーバに送り、データ変換部は、設定解像度データに基づいてドキュメントデータの変換を行っているが、携帯電話自体の固有情報（メーカー名、型番等）をデータサーバに送り、データ変換部は、固有情報に基づいてドキュメントデータの変換を行ってもよい。この場合、データサーバのメモリに、複数の固有情報に対応した複数の設定解像度データを記憶しておき、データ変換部は、固有情報に対応した設定解像度データを読み出し、この読み出した設定解像度データに基づいてドキュメントデータの変換を行う。
【００７６】
さらに、上記実施形態では、２台の携帯電話でのドキュメントデータ閲覧に実施しているが、その台数は適宜変更可能である。例えば、第１〜第５携帯電話で実施し、第１携帯電話が閲覧認証され、第２〜第５携帯電話が閲覧認証されていない場合には、第１携帯電話及びデータサーバは、上記実施形態の第２携帯電話に行った処理を、第２〜第５携帯電話に行う。
【符号の説明】
【００７７】
２  ドキュメント閲覧システム
１０  データサーバ
１１，１２  第１，第２携帯電話
１５  インターネット
２１，３５，４５  通信部
２２  ＤＢ
２４，３６，４６  ＣＰＵ
２５  認証部
２６  データ変換部
２７，３９，４９  情報生成部
２８  通信検出部
３８，４８  短距離通信部
【図１】
2013210871.tif 000003
【図２】
2013210871.tif 000004
【図３】
2013210871.tif 000005
【図４】
2013210871.tif 000006
【図５】
2013210871.tif 000007
【図６】
2013210871.tif 000008
【図７】
2013210871.tif 000009